(57)【特許請求の範囲】
【請求項１】
電気錠門扉などの配線を行うための門扉の配線構造であって、
上記門扉の下端面にはカバー材取付部を設け、このカバー材取付部に取り付けられる配線カバーと、上記配線カバーの吊元側の端に連続するように上記カバー材取付部に取り付けられる吊元側カバーと、を備え、
上記カバー材取付部を上記配線カバーと上記吊元側カバーとで覆って配線経路を形成するとともに、この配線経路の吊元側カバー側の端に配線を外部に持ち出すための持ち出し口を形成し、
上記カバー材取付部と上記配線カバーとによって形成された配線経路は、上記カバー材取付部と上記吊元側カバーとによって形成された配線経路よりも高い位置で配線可能であり、
上記吊元側カバーの内側に配線を導くための凹溝を設け、上記凹溝と上記カバー材取付部とによって、上記吊元側カバーの側面に上記持ち出し口が形成され、
配線は上記吊元側カバーの内側に固定されていることを特徴とする、門扉の配線構造。
【請求項２】
上記配線カバーは、下方から圧入されて上記カバー材取付部に弾性係合することを特徴とする、請求項１記載の門扉の配線構造。
【請求項３】
上記吊元側カバーは、上記カバー材取付部の側方からスライド嵌合することを特徴とする、請求項１又は２記載の門扉の配線構造。
【請求項４】
上記カバー材取付部の下面に下方に開口する溝部を形成し、該溝部に配線可能としたことを特徴とする、請求項１〜３のいずれかに記載の門扉の配線構造。
【請求項５】
上記カバー材取付部は、上記門扉とは別体の下枠カバーによって構成されていることを特徴とする、請求項１〜４のいずれかに記載の門扉の配線構造。
【発明の詳細な説明】
【技術分野】
【０００１】
この発明は、電気錠門扉などの配線を行うための門扉の配線構造に関するものである。
【背景技術】
【０００２】
従来、住宅と道路との境界に門扉を設けることが行われている。門扉を設ける目的はさまざまであるが、防犯性の向上や意匠性の向上といった目的が主に挙げられる。
【０００３】
門扉の防犯性を向上させる方法としては門扉に電気錠を設ける方法が考えられる。門扉に電気錠を設ければ、カードキーをかざすなどの容易な操作で解錠ができ、利便性も高い。また、遠隔操作可能で電気錠の施錠・解錠ができるようにすれば、来客などの際に室内から電気錠を解錠することもでき、非常に便利である。
【０００４】
遠隔操作で電気錠の施錠・解錠をするためには、親機からの信号を受信する受信ユニットを設ける必要があり、この受信ユニットから電気信号を伝送するためのケーブル及び電力を供給するためのケーブルを電気錠に配線する必要がある。このようなケーブルの配線は極力目立たないようにすることが意匠的に望ましいため、扉の下面に沿って配線することが行われている。
【０００５】
例えば、特許文献１には、中空状アルミニウム製型材からなる戸当り縦框を有する扉体を吊元支柱に回動自在に取り付け、戸当り縦框に手動の錠装置を設けた門扉に電気錠装置を取付けるにあたり、戸当り縦框の錠取付け部に電気錠ユニットを取付け、吊元支柱に配線ユニットを取付け、扉体の下端面に溝部を有する配線受け部材を固着し、電気錠ユニットと配線ユニットを接続するハーネスを戸当り縦框の中空部と配線受け部材の溝部に嵌合して配線し、配線受け部材の溝部開口をアルミニウム製のカバー部材により閉口した門扉の電気錠装置取付け構造が開示されている。
【０００６】
また、特許文献２には、門扉の戸先側縦框に電気錠を取付け、遠隔操作により解錠のための電気信号を前記電気錠に与えるためのケーブルを門柱から門扉の下框に沿って戸先側縦框の下端部まで延長するとともに、その戸先側縦框内を上方に延長してその先端を電気錠に接続してなる門扉におけるケーブルを門扉の下端部に支持するケーブル支持装置が開示されている。このケーブル支持装置は、一対の配線カバーブラケットと配線カバーとからなっている。そして、配線カバーブラケットは、固着部において門扉の両縦框の下端部にこれと平行な水平方向にねじ込まれるねじにより固着されている。また、配線カバーは、ケーブルを収容するための溝を有して、両端部がそれぞれ前記配線カバーブラケットに水平方向からねじ込まれるねじにより固着されている。
【先行技術文献】
【特許文献】
【０００７】
【特許文献１】特許３１７０５６６号公報
【特許文献２】特許４００５３６９号公報
【発明の概要】
【発明が解決しようとする課題】
【０００８】
しかしながら、上記特許文献１記載の発明においては、単にケーブルを配線受け部材の溝部に通しただけであるので、配線の垂れ下がりにより配線作業が邪魔される問題があった。
【０００９】
また、特許文献２記載の発明においては、配線カバーブラケットを設けているので、配線の垂れ下がりによって配線作業が邪魔される問題はないものの、配線カバーブラケットを門扉吊元框に固定するための孔加工等が必要となってしまう。
【００１０】
更に、上記特許文献１及び２のいずれに記載の発明においても、配線部位が下桟の下に大きくはみ出してしまうため、配線が目立つという問題があった。特に、門扉のデザインによっては下桟の厚みがごく薄い場合があり、こうしたデザインの門扉においては配線によって意匠性が著しく損なわれてしまうという問題があった。
【００１１】
なお、配線を目立たなくするために、門扉の内部に配線を行うことも考えられるが、この場合は吊元框等に配線を通すための専用加工が必要となる。また、吊元框等に配線を通すための専用加工を施すと門扉の加工に表裏が発生してしまうという問題もある。
【００１２】
そこで、本発明は、吊元框等の加工作業を極力必要とせずに設置済みの門扉に対しても容易に施工可能であるとともに、配線を目立たなくすることができ、配線が目立つことによる意匠性低下の問題もない門扉の配線構造を提供することを課題とする。
【課題を解決するための手段】
【００１３】
上記課題を解決するため、請求項１に係る発明は、電気錠門扉などの配線を行うための門扉の配線構造であって、上記門扉の下端面にはカバー材取付部を設け、このカバー材取付部に取り付けられる配線カバーと、上記配線カバーの吊元側の端に連続するように上記カバー材取付部に取り付けられる吊元側カバーと、を備え、上記カバー材取付部を上記配線カバーと上記吊元側カバーとで覆って配線経路を形成するとともに、この配線経路の吊元側カバー側の端に配線を外部に持ち出すための持ち出し口を形成し、上記カバー材取付部と上記配線カバーとによって形成された配線経路は、上記カバー材取付部と上記吊元側カバーとによって形成された配線経路よりも高い位置で配線可能であり、上記吊元側カバーの内側に配線を導くための凹溝を設け、上記凹溝と上記カバー材取付部とによって、上記吊元側カバーの側面に上記持ち出し口が形成され、配線は上記吊元側カバーの内側に固定されていることを特徴とする。
【００１４】
また、請求項２に係る発明は、請求項１において、上記配線カバーは、下方から圧入されて上記カバー材取付部に弾性係合することを特徴とする。
【００１５】
また、請求項３に係る発明は、請求項１又は２において、上記吊元側カバーは、上記カバー材取付部の側方からスライド嵌合することを特徴とする。
【００１６】
また、請求項４に係る発明は、請求項１〜３において、上記カバー材取付部の下面に下方に開口する溝部を形成し、該溝部に配線可能としたことを特徴とする。
【００１７】
さらに、請求項５に係る発明は、請求項１〜４のいずれかにおいて、上記カバー材取付部は、上記門扉とは別体の下枠カバーによって構成されていることを特徴とする。
【発明の効果】
【００１８】
請求項１に係る発明によれば、配線カバーの吊元側の端に連続するように吊元側カバーを設け、カバー材取付部の下面側を配線カバーと吊元側カバーとで覆って配線経路を形成した。このため、配線カバー及び吊元側カバーを取り付けるだけで、設置済みの門扉に対しても容易に配線を行うことができる。
【００１９】
また、配線経路の吊元側カバー側の端に配線を外部に持ち出すための持ち出し口を形成し、カバー材取付部と配線カバーとによって形成された配線経路は、カバー材取付部と吊元側カバーとによって形成された配線経路よりも高い位置で配線可能とした。これにより、持ち出し口のみを低い位置で開口させるとともに、残りの配線経路（カバー材取付部と配線カバーとによって形成された配線経路）を高い位置に配置することができるので、ほとんどの配線経路を門扉の下方から極力はみ出さないような高い位置とすることができ、配線を目立たなくすることができる。
【００２０】
また、請求項２に係る発明によれば、上記配線カバーは下方から圧入されて上記カバー材取付部に弾性係合するので、特別な加工なしで取り付けることができ、施工が容易である。
【００２１】
また、請求項３に係る発明によれば、上記吊元側カバーは、上記カバー材取付部の側方からスライド嵌合するので、特別な加工なしで取り付けることができ、施工が容易である。
【００２２】
また、請求項４に係る発明によれば、上記カバー材取付部の下面に下方に開口する溝部を形成し、該溝部に配線可能としたので、カバー材取付部の内部に配線することができ、配線を目立たなくすることができる。
【００２３】
また、請求項５に係る発明によれば、上記カバー材取付部は、上記門扉とは別体の下枠カバーによって構成されているので、門扉の構成に限定されないカバー材取付部を形成することができる。
【図面の簡単な説明】
【００２４】
【図１】電気錠を備えた門扉及び門柱を示す正面図である。
【図２】電気錠を備えた門扉及び門柱を示す斜視図である。
【図３】門扉下部の配線構造の分解斜視図である。
【図４】門扉の（ａ）側面図、（ｂ）正面図である。
【図５】門扉のＡ−Ａ断面図である。
【図６】門扉のＢ−Ｂ断面図である。
【図７】門扉のＣ−Ｃ断面図である。
【図８】図３の吊元側カバーの拡大図である。
【発明を実施するための形態】
【００２５】
本実施形態に係る門扉１０は、図１及び図２に示すように、上下２つのヒンジ１５によって門柱１４に対して回動可能に連結されており、カードキーなどで解錠可能な電気錠１６が戸先框１１に取り付けられている。この電気錠１６は、リモートコントローラ（図示せず）などを操作することで、遠隔から無線によって施錠及び解錠が行えるようになっている。この無線信号は、門柱１４の上端に設けられた無線受信部１９が受信し、電気錠１６へと送信される。無線受信部１９からの信号を受信した電気錠１６の制御部は、モータ等の駆動部を駆動させることでデッドボルトを戸先から出没させ、施錠及び解錠を実行する。
【００２６】
なお、無線受信部１９と電気錠１６とは、門扉１０の下面に沿って設けられた配線(信号線)１７によって接続されており、この配線１７によって上記のような信号のやり取りが行われる。また、特に図示しないが、無線受信部１９には無線受信部１９の電源用の電池が格納されている。電気錠１６の電源用の電池は戸先框１１に設けられた制御ユニット（図示せず）内に格納されており、制御ユニットから電気錠１６を駆動する電源を供給している。
【００２７】
配線１７は、図１〜図３に示すように、門柱１４の内部を通って、門柱１４下部に取り付けられた門柱配線カバー２０から外部に持ち出され、門扉１０の吊元框１２の下部に取り付けられた吊元側カバー２５によって門扉１０下面の配線経路に導入されている。なお、門柱配線カバー２０から外部に持ち出された部分の配線１７は、曲折可能な配線保護管１８によって覆われて保護されている。
【００２８】
門扉１０下面の配線経路は、図３等に示すように、門扉１０の下端に設けられたカバー材取付部を配線カバー２４と吊元側カバー２５とで覆って形成されている。
【００２９】
なお、図３等ではカバー材取付部を、門扉１０とは別体の下枠カバー２２によって構成した形態を示すが、カバー材取付部はこのような実施形態に限定されない。門扉と一体に形成されていてもよい。
【００３０】
下枠カバー２２は、門扉１０の下桟１３に取り付けられる部材であり、下桟１３と略同じ長さに形成されている。この下枠カバー２２は、例えばポリカーボネイトなどの樹脂やアルミニウムなどの金属により成形されている。下枠カバー２２は、図５及び図６に示すように、下面中央に下方に向けて開口する溝部２２ａが形成されており、溝部２２ａの内側に配線１７を通すことができるようになっている。
【００３１】
この溝部２２ａの内側面には、両側の対向する位置に筋状の係合突起２２ｇが形成されている。係合突起２２ｇは配線カバー２４を取り付けるためのものであり、互いに他方の係合突起２２ｇの方向へと略水平に延設されている。
【００３２】
また、この溝部２２ａの両側部には、ガイド溝２２ｆが下方に開口している。ガイド溝２２ｆは、後述する吊元側カバー２５を取り付けるためのものであり、吊元側カバー２５をスライド可能に保持するために鉤状に形成されている。
【００３３】
また、両側のガイド溝２２ｆの上には、外側の第１起立片２２ｂと内側の第２起立片２２ｄとが略平行に上方に向けて立設している。第１起立片２２ｂの上端部には第１係止爪２２ｃが内向きに設けられ、第２起立片２２ｄの上端部には第２係止爪２２ｅが外向きに設けられている。この第１係止爪２２ｃと第２係止爪２２ｅとは、下桟１３の両側に設けられた被係止部１３ａを挟み込んで下枠カバー２２を下桟１３に固定するために用いられる。
【００３４】
配線カバー２４は、溝部２２ａに収容された配線１７の垂れ下がりを防止するための部材であり、例えばポリカーボネイトなどの合成樹脂で押出成形された断面略コ字形の長尺部材である。本実施形態においては、図３に示すように、複数の配線カバー２４を連続して配置して下枠カバー２２に取り付けている。なお、この配線カバー２４は、本数を増やしたり、切断加工を行うことで、容易に門扉１０の幅に合わせて調整することができる。
【００３５】
配線カバー２４は、図６に示すように、下枠カバー２２の溝部２２ａの下部を覆う底板部２４ａと、底板部２４ａの両端縁から上方に立ち上げられた起立片２４ｂと、起立片２４ｂの上端部に形成された係合爪２４ｃと、起立片２４ｂの基端部付近に外方に突出する張出部２４ｄと、を備えている。係合爪２４ｃ及び張出部２４ｄは下枠カバー２２の係合突起２２ｇを挟み込んで保持するものであり、配線カバー２４を下枠カバー２２の下方から圧入したときに係合爪２４ｃが弾性的に内方に変形した後に係合突起２２ｇと弾性係合し、配線カバー２４を下枠カバー２２に取り付ける目的で設けられている。
【００３６】
このように配線カバー２４を下枠カバー２２に取り付けたときに、起立片２４ｂは溝部２２ａの内部に入り込んでおり、配線カバー２４が下枠カバー２２の下方にできるだけ突出しないような構造となっている。これにより、図７に示すように、下枠カバー２２と配線カバー２４とによって形成された配線経路Ａは下枠カバー２２の下方にできるだけ突出しないように浅く形成されており、外観上目立たないようになっている。
【００３７】
吊元側カバー２５は樹脂成型品で、配線カバー２４の吊元側の端に連続するように下枠カバー２２に取り付けられることで、配線カバー２４とともに溝部２２ａに収容された配線１７の垂れ下がりを防止するための部材であり、例えばポリカーボネイトなどの樹脂で成形される。
【００３８】
吊元側カバー２５は、図５に示すように、下枠カバー２２の溝部２２ａの下部位置に凹溝２５ａが形成されており、配線１７のための空間が縦に深く形成されるようになっている。この凹溝２５ａの両側端縁には係止縁２５ｂが外側に突出形成されており、前述した下枠カバー２２のガイド溝２２ｆにスライド可能に嵌合している。なお、吊元側カバー２５を下枠カバー２２に取り付ける際には、係止縁２５ｂがガイド溝２２ｆに嵌合するように下枠カバー２２の側方からスライド嵌合させる。
【００３９】
上記のように、吊元側カバー２５には凹溝２５ａが設けられているため、下枠カバー２２と吊元側カバー２５とによって形成された配線経路Ｂは縦に深く形成されている。これは、図７及び図８に示すように、配線経路の吊元側カバー２５側の端に配線１７を外部に持ち出すための持ち出し口２５ｃを形成するためである。すなわち、吊元側カバー２５によって配線１７を下方に導くことで、吊元框１２及び吊元框１２の下端に装着された吊元框下キャップ２１よりも下に持ち出し口２５ｃを形成し、吊元框１２等に穿孔加工を加えずに配線１７を外部に持ち出せるようなっている。
【００４０】
なお、配線１７は吊元側カバー２５の内側にケーブルクリップ３０及びネジ３１によって固定されており、これにより配線１７が持ち出し口２５ｃへと導かれるとともに、引張止めがなされている。
【００４１】
本実施形態は上記のとおりであり、配線カバー２４の吊元側の端に連続するように吊元側カバー２５を設け、下枠カバー２２の下面側を配線カバー２４と吊元側カバー２５とで覆って配線経路を形成した。このため、配線カバー２４及び吊元側カバー２５を取り付けるだけで、設置済みの門扉１０に対しても容易に配線することができ、簡単に電気錠１６等を施工することができる。
【００４２】
また、下枠カバー２２と配線カバー２４とによって形成された配線経路Ａは、下枠カバー２２と吊元側カバー２５とによって形成された配線経路Ｂよりも高い位置で配線されている（図７参照）。これにより、持ち出し口２５ｃのみを低い位置で開口させるとともに、残りの配線経路（下枠カバー２２と配線カバー２４とによって形成された配線経路Ａ）を高い位置に配置することができるので、ほとんどの配線経路を下桟１３の下に極力はみ出さないような高い位置とすることができ、配線１７を目立たなくすることができる。
【００４３】
また、配線カバー２４は下方から圧入されて下枠カバー２２に弾性係合するので、特別な加工なしで取り付けることができ、施工が容易である。
【００４４】
また、吊元側カバー２５は、下枠カバー２２の側方からスライド嵌合するので、特別な加工なしで取り付けることができ、施工が容易である。
【００４５】
また、下枠カバー２２の下面に下方に開口する溝部２２ａを形成し、該溝部２２ａに配線可能としたので、下枠カバー２２の内部に配線することができ、配線１７を目立たなくすることができる。
【符号の説明】
【００４６】
１０  門扉
１１  戸先框
１２  吊元框
１３  下桟
１３ａ  被係止部
１４  門柱
１５  ヒンジ
１６  電気錠
１７  配線
１８  配線保護管
１９  無線受信部
２０  門柱配線カバー
２１  吊元框下キャップ
２２  下枠カバー
２２ａ  溝部
２２ｂ  第１起立片
２２ｃ  第１係止爪
２２ｄ  第２起立片
２２ｅ  第２係止爪
２２ｆ  ガイド溝
２２ｇ  係合突起
２４  配線カバー
２４ａ  底板部
２４ｂ  起立片
２４ｃ  係合爪
２４ｄ  張出部
２５  吊元側カバー
２５ａ  凹溝
２５ｂ  係止縁
２５ｃ  持ち出し口
３０  ケーブルクリップ
３１  ネジ
Ａ  下枠カバーと配線カバーとによって形成された配線経路
Ｂ  下枠カバーと吊元側カバーとによって形成された配線経路
【図１】
0006035526.tif 000002
【図２】
0006035526.tif 000003
【図３】
0006035526.tif 000004
【図４】
0006035526.tif 000005
【図５】
0006035526.tif 000006
【図６】
0006035526.tif 000007
【図７】
0006035526.tif 000008
【図８】
0006035526.tif 000009